(57)【特許請求の範囲】
【請求項１】
複数の異なるアプリケーションを起動させることのできる制御手段と、
前記制御手段により制御され、ユーザによるタッチ操作が可能であり且つ異なる複数のアプリケーションを上側に位置する第１表示領域と下側に位置する第２表示領域にそれぞれ表示可能な表示画面と、
を具えた電子機器であって、
前記表示画面が、第１のアプリケーションを表示した前記第１表示領域と、第２のアプリケーションを表示した前記第２表示領域と、を表示する、第１の状態と、
前記第１の状態時に前記第１のアプリケーションへの文字入力のためであって前記第１表示領域に位置する第１の入力領域に対してタッチ操作がなされたとき、前記第１の状態時における前記第２表示領域に該当する領域に、前記第１のアプリケーションに関するソフトキーボードを表示する、第２の状態と、
前記第１の状態時に前記第２のアプリケーションへの文字入力のためであって前記第２表示領域に位置する第２の入力領域に対してタッチ操作がなされるとき、前記第１の状態時における前記第２表示領域に該当する領域に、前記第２のアプリケーションに関するソフトキーボードを表示する、第３の状態と、
をとりうる、電子機器。
【請求項２】
前記第１の入力領域または前記第２の入力領域へのタッチ操作は、タップ操作である、請求項１記載の電子機器。
【請求項３】
前記第３の状態時において、
前記第１の状態時における前記第１表示領域に該当する領域に、前記第２のアプリケーションを表示する、請求項１または２記載の電子機器。
【請求項４】
前記第１のアプリケーションまたは前記第２のアプリケーションが、アクティブなアプリケーションである、請求項１乃至３のいずれか記載の電子機器。
【請求項５】
前記第１のアプリケーションは、動画閲覧アプリケーションである、請求項１乃至４のいずれか記載の電子機器。
【請求項６】
前記第２の状態時に前記ソフトキーボートへのタッチ操作がなされた後、前記入力領域内に前記ソフトキーボードにより入力されたテキストが表示される、請求項１乃至５のいずれか記載の電子機器。
【発明の詳細な説明】
【技術分野】
【０００１】
本発明は、複数の表示画面を有する電子機器に関するものであり、より具体的には、アプリケーションの操作性の向上を図ることのできる電子機器に関するものである。
【背景技術】
【０００２】
起動しているアプリケーションに関する情報を表示可能な表示画面を有する電子機器が知られている。この種の電子機器では、複数のアプリケーションを同時に起動可能なものもあり、各表示画面に起動しているアプリケーションを表示可能となっている(例えば特
許文献１参照)。
【先行技術文献】
【特許文献】
【０００３】
【特許文献１】特開２００９−８９２５号公報
【発明の概要】
【発明が解決しようとする課題】
【０００４】
ユーザの選択したアクティブなアプリケーションを、ユーザがタッチパネル等により操作すると、その操作メニュー画面等の操作可能な情報は、当該アクティブなアプリケーションが表示されている表示画面に重ねて表示される。
【０００５】
例えば動画閲覧のアプリケーションを起動中に、当該アプリケーションを操作すると、動画の上に重ねて操作メニュー画面等の操作可能な情報が表示されてしまうから、動画の閲覧を中断せざるを得ない問題があった。
【０００６】
本発明の目的は、アプリケーションの操作メニュー等の情報の表示を他の表示画面にて行なうようにして操作性を高めることのできる電子機器を提供することである。
【課題を解決するための手段】
【０００７】
上記課題を解決するために、本発明の電子機器は、複数の異なるアプリケーションを起動させることのできる制御手段と、前記制御手段により制御され、ユーザによるタッチ操作が可能であって、異なる複数のアプリケーションを表示可能な表示画面と、を具えた電子機器であって、前記表示画面が、第１のアプリケーションを表示した第１表示領域と、第２のアプリケーションを表示し且つ第２表示領域よりもユーザ側に位置する第２表示領域と、を表示し、前記第２のアプリケーションがユーザにより選択されたアクティブなアプリケーションである、第１の状態と、前記第１の状態時に前記第２のアプリケーションへの入力のための入力領域に対してタッチ操作がなされるとき、前記第１の状態時における前記第２表示領域に該当する領域に、前記第２のアプリケーションに関するソフトキーボードを表示する、第２の状態と、前記表示画面が、前記第２のアプリケーションを表示した第３表示領域と、第１のアプリケーションを表示し且つ第３表示領域よりもユーザ側に位置する第４表示領域と、を表示し、前記第２のアプリケーションがユーザにより選択されたアクティブなアプリケーションである、第３の状態と、前記第３の状態時に前記第２のアプリケーションの入力のための入力領域に対してタッチ操作がなされるとき、前記第３の状態時における前記第４表示領域に該当する領域に、前記第２のアプリケーションに関するソフトキーボードを表示する、第４の状態と、をとりうる。
【発明の効果】
【０００８】
本発明の電子機器によれば、操作表示手段は、アクティブなアプリケーションが表示さ
れている表示画面以外の表示画面に当該アクティブなアプリケーションに対する操作可能な情報を表示するようにしているから、アクティブなアプリケーションの表示画面は、操作可能な情報により隠れることはないので、操作性を高めることができる。
【図面の簡単な説明】
【０００９】
【図１】図１は、本発明が適用される電子機器の一例を示す斜視図であって、表示画面どうしが略同一平面に位置し、接近したフラット接近状態を示している。
【図２】図２は、図１の状態から表示画面どうしを離間させたフラット離間状態を示す電子機器の斜視図である。
【図３】図３は、図２の状態から第１表示画面を第２表示画面に対して回転させ、第１表示画面を第２表示画面に対して傾けたチルト状態を示す電子機器の斜視図である。
【図４】図４は、表示画面どうしが重なった畳み状態を示す電子機器の斜視図である。
【図５】図５は、図１の状態から図３の状態へ至る過程を示す電子機器の側面図であって、図５(ａ)は、図１に示すフラット接近状態、図５(ｂ)は、図２に示すフラット離間状態、図５(ｃ)は、図３に示すチルト状態を示している。
【図６】図６は、図３のチルト状態の後、図４の畳み状態へ至る過程を示す電子機器の側面図であって、図６(ａ)は、第１表示画面を第２表示画面に対して前方へスライドするよう傾けた状態、図６(ｂ)は、図６(ａ)の状態からさらに第１表示画面をスライドするよう傾けた状態、図６(ｃ)は、図４に示す畳み状態を示している。
【図７】本実施例の電子機器のブロック図である。
【図８】複数のアプリケーションを起動し、複数の表示画面に夫々表示した状態を示す説明図である。
【図９】本発明の実施例の動作を示すフローチャート図である。
【図１０】アクティブなアプリケーションの操作メニュー画面を、非アクティブなアプリケーションの表示画面に表示した状態を示す説明図である。
【図１１】一方の表示画面にメールアドレスを入力可能なブラウザを起動した状態を示す説明図である。
【図１２】図１１において、他方の表示画面にソフトキーボードを表示し、ユーザがメールアドレスを入力している状態を示す説明図である。
【図１３】下側の表示画面にメールアドレスを入力可能なブラウザを起動した状態を示す説明図である。
【図１４】複数の表示画面に連続して１つのアプリケーションを表示している状態を示す説明図である。
【図１５】一方の表示画面にアプリケーションの表示を残し、他方の表示画面に操作メニュー画面を表示している状態を示す説明図である。
【図１６】畳み状態の電子機器において、第１表示画面にアプリケーションを表示した状態を示す説明図である。
【図１７】図１６の状態から、第２表示画面を引き出して、操作メニュー画面を表示した状態を示す説明図である。
【図１８】畳み状態の電子機器において、第１表示画面にメールアドレスを入力可能なブラウザを起動した状態を示す説明図である。
【図１９】一方の表示画面にアプリケーションの表示、他方の表示画面には、他のアプリケーションと操作メニュー画面の両方を表示している状態を示す説明図である。
【発明を実施するための形態】
【００１０】
本発明は、複数の表示画面(21)(31)及びタッチパネル(22)(32)等の操作部(50)を具えた電子機器(10)に関するものであり、起動しているアプリケーションの操作性を高めることのできる電子機器(10)に関するものである。
【００１１】
以下、本発明の電子機器(10)について、携帯型の電子機器を例に挙げて図面を用いて説明するが、以下に示す具体的な電子機器の構造、構成は、説明のためのものであって、本発明を限定的に解釈すべきでないことは勿論である。
【００１２】
まず、本実施例に係る携帯型電子機器(10)の構造について説明を行なう。
【００１３】
電子機器(10)は、図１乃至図６に示すように、文字、図形、画像、動画等の情報を表示可能な表示画面(21)(31)と、該表示画面の表面にユーザが触れることで操作可能なタッチパネル(22)(32)とを有する複数の表示部(20)(30)を、連結機構(40)によって相対的に開閉やスライド等により移動可能に連結して構成することができる。
【００１４】
図１乃至図６では、第２表示画面(31)が上方に向くように、第２表示部(30)を水平に配置した状態を示しており、何れも図中第２表示部(30)が向いている方向を「上」、その背面側を「下」、図１乃至図４では図中左前方を「前」、右後方を「後」、図５及び図６では、図中左側を「前」、右側を「後」と称する。「左」「右」については、前記「前」方向から見た左右方向を夫々意味するものとする。また、第１表示部(20)及び第２表示部(30)について、図１に示す前側の端部を夫々「基端」、後側の端部を「後端」と称する。
【００１５】
第１表示部(20)及び第２表示部(30)は、夫々図に示すように、一方の面、即ち、図１における上面が開口した筺体(23)(33)内に、情報を表示可能な表示画面(21)(31)が開口側から視認可能となるように収容されている。表示画面(21)(31)は、液晶ディスプレイを例示でき、後述する制御手段(60)(図７参照)に電気的に接続され、各種情報を表示可能となっている。なお、図１において、後側に位置する表示部を第１表示部(20)、前側に位置する表示部を第２表示部(30)と称する。
【００１６】
表示画面(21)(31)の開口側には、ユーザが指等で触れることにより操作可能なタッチパネル(22)(32)を有する。タッチパネル(22)(32)は、筺体(23)(33)の開口を塞ぐように配設され、表示画面(21)(31)が視認可能となるよう透明に形成されている。タッチパネル(22)(32)として、静電容量方式や抵抗膜方式のものを例示できる。
【００１７】
タッチパネル(22)(32)は、タッチパネル制御部(25)(35)を介して制御手段(60)(図７参
照)に電気的に接続されており、ユーザがタッチパネル(22)(32)を指等で触れて操作する
ことにより、該当する座標情報がタッチパネル制御部(25)(35)を介して制御手段(60)に入力され、各種操作等に用いられる。
【００１８】
タッチパネル(22)(32)を用いたユーザの操作として、比較的短くタッチパネル(22)(32)に触れるタップ、ダブルタップや、タッチパネル(22)(32)に触れる時間が、これらよりも長いドラッグ、フリック、ピンチ、ロングタッチを例示できる。
【００１９】
また、筺体(23)(33)には、タッチパネル(22)(32)の近傍及び筺体(23)(33)の周面に複数の操作ボタン(51)(51)を配置し、タッチパネル(22)(32)と合わせて操作部(50)(50)を形成している。操作ボタン(51)(51)として、電源ボタン等を例示できる。これら操作ボタン(51)(51)も制御手段(60)(図７参照)に電気的に接続され、操作ボタン(51)(51)の操作により各種制御が可能となっている。
【００２０】
第１表示部(20)と第２表示部(30)は、連結機構(40)により、相対的に移動可能となっており、本実施例の電子機器(10)では、図１乃至図６に示すように、第１表示部(20)を第２表示部(30)に対してスライド可能且つ回動可能としている。
【００２１】
連結機構(40)は、図１乃至図６に示すように、第１筺体(23)の背面側の前後方向略中央
と、第２筺体(33)の先端を連結している。連結機構(40)は、複数のアーム等によって構成することができ、その詳細については説明を省略するが、後述するとおり、連結機構(40)によって、第１表示部(20)は、第２表示部(30)に対して、接近、離間方向にスライド可能且つ回動可能となっている。
【００２２】
なお、連結機構(40)は、第１表示部(20)と第２表示部(30)をスライドのみ又は回動のみ等に連結するように構成することもできる。
【００２３】
第１表示部(20)と第２表示部(30)の相対的な位置は、移動検知センサ(70)によって検知することができる。
【００２４】
移動検知センサ(70)は、第１表示部(20)と第２表示部(30)の接近、離間を検知する接触型のスイッチや、マグネット(72)とマグネットセンサ(71)からなる非接触型のセンサ、第１表示部(20)と第２表示部(30)又は両表示部(20)(30)と連結機構(40)との相対的な角度変化を検知するポテンショメータ等を例示できる。
【００２５】
移動検知センサ(70)も制御手段(60)(図７参照)に電気的に接続されている。
【００２６】
移動検知センサ(70)として、本実施例では、図１及び図５(ａ)に示すように、第１表示部(20)の基端にマグネット(72)を埋設し、フラット接近状態にて該マグネット(72)と接近する第２表示部(30)の先端にマグネットセンサ(71)を収容し、第１表示部(20)と第２表示部(30)の接近、離間を検知できるようにしている。これにより、電子機器(10)が図１及び図５(ａ)に示す状態にあるか、それ以外の状態にあるかを検知することができる。
【００２７】
また、連結機構(40)と第１表示部(20)との連結部分に、図５(ａ)に示すように、ポテンショメータ(74)を配備し、第１表示部(20)が連結機構(40)に対して回転したことを検知するようにしている。
【００２８】
図７は、本発明の電子機器のブロック図の一例を示している。
【００２９】
電子機器(10)のすべての制御は、図７に示すように、ＣＰＵ等から構成される制御手段(60)により行なわれる。制御手段(60)は、電子機器(10)にインストールされている各種のアプリケーションを起動可能となっており、同時に複数のアプリケーションを立ち上げることもできる。
【００３０】
制御手段(60)には、前述した第１表示画面(21)、第２表示画面(31)が電気的に接続されており、各アプリケーションに関する情報を表示可能となっている。
【００３１】
また、第１タッチパネル(22)及び第２タッチパネル(32)は、夫々第１タッチパネル制御部(25)、第２タッチパネル制御部(35)を介して制御手段(60)に電気的に接続されており、第１タッチパネル(22)及び第２タッチパネル(32)からのユーザの入力は、タッチパネル制御部(25)(35)を介して制御手段(60)に送信され、制御手段(60)は、入力に応じて、表示画面(21)(31)の情報を編集、操作等行なう。
【００３２】
制御手段(60)には、上述した操作ボタン(51)(51)の他、電子機器(10)の各種動作やユーザの所望する各種データ等を記憶するメモリ(61)、タイマー(62)等が電気的に接続されており、本発明に係る後述する操作表示手段(63)も電気的に接続されている。
【００３３】
上述の連結機構(40)により接続された第１表示部(20)と第２表示部(30)は、以下の要領で相対的に移動可能となっている。
【００３４】
例えば、図１は、第１表示部(20)と第２表示部(30)が、第１表示画面(21)と第２表示画面(31)を略同一平面とし、且つ第１筺体(23)の基端と第２筺体(33)の先端が接近した状態を示している。図１の側面図が図５(ａ)である。この状態を「フラット接近状態」と称する。
【００３５】
フラット接近状態では、第１表示画面(21)と第２表示画面(31)は連続し、１つの画面として視認でき、また、第１タッチパネル(22)と第２タッチパネル(32)も連続した１つのタッチパネルの如く操作することができる。
【００３６】
表示部(20)(30)がフラット接近状態にあることは、上記したマグネットセンサ(71)により検知され、制御手段(60)に送信することができる。
【００３７】
上記フラット接近状態から、図２に示すように、第２筺体(33)の背面をユーザが手(Ｐ)の四指で支え、母指球で第２タッチパネル(32)を支えながら、両親指(Ｔ)で第１タッチパネル(22)を後方に押すと、第１表示部(20)は、第２表示部(30)に対して離間方向にスライドする。この状態を「フラット離間状態」と称し、その側面図を図５(ｂ)に示す。
【００３８】
フラット接近状態からフラット離間状態に移行したことは、マグネットセンサ(71)により検知され、制御手段(60)に送信することができる。
【００３９】
図２のフラット離間状態から、第１表示部(20)の先端側を掴んで、第１表示画面(21)が前方に傾くように第１表示部(20)を引き上げると、図３及び図５(ｃ)に示すように、第１表示画面(21)が第２表示画面(31)に対して傾けることができる。この状態を「チルト状態」と称する。この動作は、一方の手で第２筺体(33)を押さえたまま、他方の手の親指と人差し指等で第１表示部(20)を摘んで引き上げることにより行なうことができる。
【００４０】
上記のように、第１表示部(20)が回動したことは、ポテンショメータ(74)により検知され、制御手段(60)に送信することができる。
【００４１】
チルト状態では、第２表示画面(31)を水平に保ったまま、第１表示画面(21)が傾いているから、第１表示画面(21)を視認し易く、例えば、第１表示画面(21)に文字等の情報を表示し、第２表示画面(31)にキーボード等を表示し、第２タッチパネル(32)の操作によって、操作性にすぐれる電子機器(10)とすることができる。
【００４２】
チルト状態から図６(ａ)に示すように、第１表示部(20)を連結機構(40)との連結部分を中心として後方に倒し、さらに、図６(ｂ)に示すように、第１表示部(20)の先端が第２表示部(30)の先端に接近するように下方に押し下げることで、図４及び図６(ｃ)に示すように、第１表示部(20)と第２表示部(30)が、第１表示部(20)を上側とし、第２表示部(30)が視認不能となるように重なった畳み状態とすることができる。
【００４３】
なお、上記のように、第１表示部(20)が回動したことは、ポテンショメータ(74)により検知され、制御手段(60)に送信することができる。
【００４４】
畳み状態では、第１表示部(20)のみが視認可能、且つ、第１タッチパネル(22)と表面に露出した操作ボタン(51)(51)のみが操作可能であり、第２表示部(30)は視認できず、また、第２タッチパネル(32)の操作も行なうことはできない。
【００４５】
この畳み状態では、第１表示画面(21)にのみ情報を表示し、第１タッチパネル(22)及び表面に露出した操作ボタン(51)(51)のみを操作する使用状態や、電子機器(10)をコンパク
トにできるから、非使用状態や持ち運びに好適である。
【００４６】
畳み状態からチルト状態やフラット接近状態へ移行するには、上記とは逆の動作を行なえばよい。
【００４７】
一般的な操作においては、制御手段(60)は、第１表示画面(21)及び第２表示画面(31)への情報の表示、第１タッチパネル(22)や第２タッチパネル(32)、操作ボタン(51)(51)からの入力に基づく各種制御、移動検知センサ(70)に基づいて、第１表示画面(21)や第２表示画面(31)に表示される情報を切り替えることができる。
【００４８】
制御手段(60)は、さらに、図８に示すように、複数のアプリケーション(図示では２種
類)を起動し、各アプリケーションを第１表示画面(21)及び第２表示画面(31)に表示して
いる状態で(フローチャート図９のステップ１)、アクティブなアプリケーション、例えば、第１表示画面(21)に表示されたアプリケーションを、ユーザがタッチパネル(22)や操作ボタン(51)に触れることで操作しようとした場合に(ステップ２)、操作表示手段(63)は、その操作により操作可能な情報を、他方の表示画面である第２表示画面(31)に表示する(
ステップ３)。
【００４９】
アクティブなアプリケーションとは、ユーザが操作可能又は操作しているアプリケーションであり、実施例で説明している如き複数の表示画面(21)(31)に複数のアプリケーションを起動している場合には、アクティブなアプリケーションの切替は、タッチパネル(22)(32)へのタップ等の操作により行なうことができる。より具体的には、第１表示画面(21)のアプリケーションがアクティブであるときに、第２表示画面(31)のアプリケーションをアクティブに切り替えるためには、第２タッチパネル(32)にタップ等の操作を施せばよい。
【００５０】
何れの表示画面(21)(31)のアプリケーションがアクティブであるかを確認し易くするために、表示画面(21)(31)の周縁にＬＥＤ等の表示手段(図示せず)を配置し、アクティブなアプリケーションの起動している表示画面の表示手段を点灯、点滅等させるようにすればよい。また、アクティブなアプリケーションの起動している表示画面(21)(31)又はアクティブでないアプリケーションの表示されている表示画面(21)(31)にマーク等を表示させるようにしてもよい。
【００５１】
操作表示手段(63)により表示する操作可能な情報として、具体的には、操作メニュー画面を例示することができる。アプリケーションとしてメールソフトを例示すると、メール作成中のアプリケーションが第１表示画面(21)に表示されているときに、操作メニュー画面に表示される操作として、受信、送信、添付などを例示できる。
【００５２】
図９の表示から、ユーザのタッチパネル(22)等の操作により、図１０に示すように、第２表示画面(31)に操作メニュー画面が表示される。なお、図１０では、メール操作に関する操作メニュー画面(82)を第２表示画面(31)の下端に部分的に表示している。
【００５３】
その他アプリケーションとして、動画閲覧ソフトの場合には、操作メニュー画面に表示される操作として、音量、動画の再生、停止、一時停止等を例示することとができる。また、ブラウザソフトの場合には、操作メニュー画面に表示される操作として、新規ブラウザの表示、ブックマーク、ブックマークの追加、ページ情報の表示、ダウンロード等を例示できる。
【００５４】
図１０に示す第２表示画面(31)に表示された操作メニュー画面をユーザが操作することで(ステップ４)、制御手段(60)は該当する操作を実行し、操作が完了すると(ステップ５)
、操作メニュー画面を閉じて、第２表示画面(31)に操作前に表示していたアプリケーションの情報に表示を戻す(ステップ６)。
【００５５】
これにより、ユーザは、アクティブなアプリケーションの表示画面(21)が、操作メニュー画面により隠されることはないので、快適に操作を続行することができ、また、他方のアプリケーションの操作メニュー画面と混同してしまうこともないので、操作性を高めることができる。
【００５６】
具体的実施例として、図１１の電子機器(10)では、第１表示画面(21)でブラウザを起動中にメールアドレスを入力可能な入力領域(80)が表示され、第２表示画面(31)で他のアプリケーションが表示されている。
【００５７】
この状態で、図１１に示すように、ユーザが指(90)等で入力領域(80)にタップ等の操作を行なうと、操作表示手段(63)は、図１２に示すように、第２表示画面(31)に、他のアプリケーションに代えて、キーボード機能を表示したソフトキーボード(81)を操作可能な情報として表示する。
【００５８】
これにより、ユーザは、第２表示画面(31)に表示されたソフトキーボード(81)を第２タッチパネル(32)により操作して、第１表示画面(21)に表示された入力領域(80)にメールアドレスを入力することができる。
【００５９】
なお、図１３に示すように、第２表示画面(31)にブラウザを起動中に、メールアドレスを入力可能な入力領域(80)が表示された場合には、ユーザが入力領域(80)をタップ等により操作したときに、第１表示画面(21)にソフトキーボード(81)を表示することもできるが、第１タッチパネル(22)を操作すると、第２表示画面(31)が手で隠れてしまい、入力領域(80)を視認し難くなる。また、第２タッチパネル(32)の方が操作性がよい。従って、前記図１２と同様、第１表示画面(21)に入力領域(80)を表示し、第２表示画面(31)にソフトキーボード(81)を表示して、第２タッチパネル(32)の操作により、メールアドレスを入力することが望ましい。
【００６０】
上記では、第１表示画面(21)のアプリケーションの操作を行なうようにしているが、下側の第２表示画面(31)のアプリケーションを操作した場合には、上側の第１表示画面(21)に操作メニュー画面を表示すればよい。
【００６１】
また、異なる実施例として、図１４に示すように、第１表示画面(21)と第２表示画面(31)を１つの画面の如く使用し、第１表示画面(21)と第２表示画面(31)に連続して１つのアプリケーションを表示している場合に、ユーザが当該アプリケーションの操作を行なうと、制御手段(60)は、図１５に示すように、一方の表示画面、例えば、第２表示画面(31)に操作メニュー画面を表示することもできる。
【００６２】
以上の実施例は、複数の表示画面(21)(31)を有する電子機器(10)であれば、表示画面(21)(31)どうしが相対的にスライド可能且つ回動可能なものに限定されず適用することができる。例えば、表示画面(21)(31)が相対的にスライド又は回動する電子機器や、１つの筺体上に複数の表示画面(21)(31)が並んで設けられる電子機器等にも適用できることは勿論である。
【００６３】
さらに、図４を用いて説明したように、畳み状態では、第１表示画面(21)のみが視認可能である(図１６参照)。このとき、第２表示画面(31)を視認可能なチルト状態(図３)やフラット状態(図１)まで引き出したことがマグネットセンサ(71)又はポテンショメータ(74)などの移動検知センサ(70)により検知されると、制御手段(60)は、図１７に示すように、
第２表示画面(31)には、第１表示画面(21)に表示されているアクティブなアプリケーションの操作メニュー画面を表示するようにしてもよい。これにより、ユーザは、第１表示画面(21)の操作を行なうときに、第２表示画面(31)を引き出すだけで操作メニュー画面を視認することができるから、操作性を向上させることができる。
【００６４】
図１６の具体的実施例として、図１８に示すように、畳み状態において、第１表示画面(21)でブラウザを起動中に、メールアドレスを入力可能な入力領域(80)が表示された場合、第２表示画面(31)をチルト状態(図３)やフラット状態(図１)に示す状態まで引き出したときに、操作表示手段(63)は、図１２に示すように、第２表示画面(31)に、他のアプリケーションに代えて、キーボード機能を表示したソフトキーボード(81)を操作可能な情報として表示こともできる。
【００６５】
これにより、ユーザは、引き出された第２表示画面(31)に表示されたソフトキーボード(81)を第２タッチパネル(32)により操作して、第１表示画面(21)に表示された入力領域(80)にメールアドレスを入力することができる。
【００６６】
上記では、一方の表示画面(21)に表示されたアプリケーションの操作可能な情報を他方の表示画面(31)の全面に表示しているが、他方の表示画面(31)の一部に操作メニュー画面(82)を表示することもできる。具体的実施例として、図１９に示すように、表示画面(31)の下端に操作メニュー画面(82)を表示している。これにより、他方の表示画面(32)でアプリケーションを隠すことなく表示することができる利点がある。なお、図１９では、操作メニュー画面(82)に新規ブラウザの表示(New  window)、ブックマーク(Bookmarks)を操作例として示している。
【産業上の利用可能性】
【００６７】
本発明は、複数の表示画面に表示されたアプリケーションの操作性を高めることのできる電子機器として有用である。
【符号の説明】
【００６８】
(10)  電子機器
(20)  第１表示部
(21)  第１表示画面
(22)  第１タッチパネル
(30)  第２表示部
(31)  第２表示画面
(32)  第２タッチパネル
(40)  連結機構
(60)  制御手段
(63)  操作表示手段
【図１】
0006027182.tif 000002
【図２】
0006027182.tif 000003
【図３】
0006027182.tif 000004
【図４】
0006027182.tif 000005
【図５】
0006027182.tif 000006
【図６】
0006027182.tif 000007
【図７】
0006027182.tif 000008
【図８】
0006027182.tif 000009
【図９】
0006027182.tif 000010
【図１０】
0006027182.tif 000011
【図１１】
0006027182.tif 000012
【図１２】
0006027182.tif 000013
【図１３】
0006027182.tif 000014
【図１４】
0006027182.tif 000015
【図１５】
0006027182.tif 000016
【図１６】
0006027182.tif 000017
【図１７】
0006027182.tif 000018
【図１８】
0006027182.tif 000019
【図１９】
0006027182.tif 000020